(57)【要約】【課題】弁体と弁座間のシールが確実に行えるカートリッジタンクのキャップを提供する。【解決手段】カートリッジタンク１の口部１ｂに着脱自在に装着され、かつ突き上げピンにより開放される弁体３を有するキャップ本体２と、キャップ本体２に形成された弁座２ｈに弁体３を圧接する圧縮ばね４とを備えたカートリッジタンクのキャップであって、弁座２ｈをテーパ状に形成すると共に、弁体３の弁座２ｈと当接する面を球状面３ａとしたもので、弁体３側にＯリングを設ける必要がないため、Ｏリングの劣化によりシール機能が早期に低下することがない上、常に弁体３の球状面３ａが弁座２ｈの所定位置に確実に当接するため、長期間繰り返し使用していても液体が漏れることがない。【選択図】図２
2004239586.tif 000002
【特許請求の範囲】
【請求項１】
カートリッジタンクの口部に着脱自在に装着され、かつ突き上げピンにより開放される弁体を有するキャップ本体と、前記キャップ本体に形成された弁座に前記弁体を圧接する圧縮ばねとを備えたカートリッジタンクのキャップであって、前記弁座をテーパ状に形成すると共に、前記弁体の前記弁座と当接する面を球状面としたことを特徴とするカートリッジタンクのキャップ。
【請求項２】
前記キャップ本体に、前記カートリッジタンク内に突出する筒状部を形成し、かつ前記筒状部内に前記圧縮ばねを収容すると共に、前記筒状部の外周面に軸線方向にスリットを形成してなる請求項１に記載のカートリッジタンクのキャップ。
【請求項３】
前記弁体の外周部に、前記筒状部の内周面に摺接する複数のガイド突起を突設してなる請求項２に記載のカートリッジタンクのキャップ。
【発明の詳細な説明】
【０００１】
【発明の属する技術分野】
本発明は主として加湿器等に使用するカートリッジタンクのキャップに関する。
【０００２】
【従来の技術】
従来加湿器や石油ストーブ等に使用されているカートリッジタンクには、口部に着脱自在なキャップが取り付けられており、このキャップには、圧縮ばねにより閉方向に付勢された弁体が設けられていて、カートリッジタンクを加湿器や石油ストーブに装着しない状態では弁体は閉鎖されているため、誤ってカートリッジタンクを転倒させたり、キャップを下向きにしてカートリッジタンクを吊り下げても、カートリッジタンク内の水や石油が漏出しないように構成されている。
【０００３】
またこの種のキャップとしては、例えば特許文献１に記載されたものが公知である。
【０００４】
【特許文献１】
特開平６−２２９５３１号公報（段落００２８、図１）
【０００５】
前記特許文献１に記載されたキャップは、キャップ本体内に弁ばねにより閉方向に付勢された弁が設けられていて、この弁に外嵌されたＯリングを弁座に圧接させることにより、カートリッジタンクを誤って転倒させたり、キャップを下向きにしてカートリッジタンクを吊り下げても、カートリッジタンク内の石油が漏出しないように構成されている。
【０００６】
またキャップを下向きにしてカートリッジタンクを石油ストーブへ装着すると、石油ストーブ側に設けられた突き上げピンが弁体を突き上げることにより弁体を開放するため、カートリッジタンク内の石油が石油ストーブへ給油されるようになっている。
【０００７】
【発明が解決しようとする課題】
しかし前記特許文献１に記載されたカートリッジタンクのキャップのように、弁体に設けたＯリングを弁座に圧接してカートリッジタンク内の液体が漏出するのを防止するようにしたものでは、弁座に対して弁体が何等かの理由で傾いて当接された場合、カートリッジタンク内の液体が漏出する問題がある。
【０００８】
またゴムにより形成されたＯリングが長期間使用していると劣化して、シール機能が低下する問題がある。
【０００９】
特に加湿器に使用するカートリッジタンクのようにほぼ毎日水を補充する必要があるものでは、弁体の開閉が頻繁に行われるため、Ｏリングが早期に劣化して水漏れの原因となったり、水道水に含まれるカルキがＯリングに付着してＯリングのシール機能が早期に低下する等の問題もある。
【００１０】
本発明はかかる従来の問題を改善するためになされたもので、弁体と弁座間のシールが確実に行えるカートリッジタンクのキャップを提供することを目的とするものである。
【００１１】
【課題を解決するための手段】
前記目的を達成するため本発明のカートリッジタンクのキャップは、カートリッジタンクの口部に着脱自在に装着され、かつ突き上げピンにより開放される弁体を有するキャップ本体と、キャップ本体に形成された弁座に弁体を圧接する圧縮ばねとを備えたカートリッジタンクのキャップであって、弁座をテーパ状に形成すると共に、弁体の弁座と当接する面を球状面としたものである。
【００１２】
前記構成により、弁体側にＯリングを設ける必要がないため、Ｏリングの劣化によりシール機能が早期に低下することがないと共に、弁体の弁座と当接する面を球状面としたことにより弁体に調心作用が働いて、常に弁体の球状面が弁座の所定位置に確実に当接するため、長期間繰り返し使用していても液体が漏れることがない。
【００１３】
前記目的を達成するため本発明のカートリッジタンクのキャップは、キャップ本体に、カートリッジタンク内に突出する筒状部を形成し、かつ筒状部内に圧縮ばねを収容すると共に、筒状部の外周面に軸線方向にスリットを形成したものである。
【００１４】
前記構成により、キャップ本体に圧縮ばねが容易に装着できると共に、筒状部に形成したスリットによりカートリッジタンク内の液体を排出することができるため、カートリッジタンクに液体が残留することもない。
【００１５】
前記目的を達成するため本発明のカートリッジタンクのキャップは、弁体の外周部に、筒状部の内周面に摺接する複数のガイド突起を突設したものである。
【００１６】
前記構成により、筒状部の内周面にガイドされて弁体が上下動するため、弁体の開閉が安定して行えるようになる。
【００１７】
【発明の実施の形態】
本発明の実施の形態を、図面を参照して詳述する。
【００１８】
図１は加湿器（図示せず）へ水を供給するカートリッジタンクの正面図、図２はカートリッジタンクの口部に螺装されたキャップの拡大断面図、図３はキャップ内に設けられた弁体の側面図、図４は同底面図である。
【００１９】
図１に示すカートリッジタンク１は、透明または半透明の樹脂をブロー成形することにより筒状に形成された胴部１ａと、胴部１ａの一端側に形成された口部１ｂ及び胴部１ａの他端側に形成された底部１ｃとからなり、口部１ｂより胴部内に水が注入できるようになっている。
【００２０】
口部１ｂは胴部１ａより小径な筒状に形成されていて、外周面にねじ部１ｄが口部１ｂと一体成形されており、このねじ部１ｄにキャップ本体２が着脱自在に螺装されている。
【００２１】
キャップ本体２は、カートリッジタンク１と同様な樹脂を射出成形することにより一体形成されていて、口部１ｂの外周面に形成されたねじ部１ｄに螺合するねじ部２ｂを内周面に有するキャップ部２ａと、キャップ部２ａの内側に設けられた筒状部２ｃとからなる。
【００２２】
キャップ部２ａは、円板部２ｄと、その外周部に連設された円筒部２ｅより形成されていて、円筒部２ｅの内周面に前記ねじ部２ｂが円筒部２ｅと一体に形成されていると共に、円板部２ｄの内面に前記筒状部２ｃが立設されている。
【００２３】
筒状部２ｃは、円筒部２ｅのほぼ２倍の高さを有していて、外周面は先端側へ順次小径となるテーパとなっており、外周面の１個所ないし複数個所に、軸心方向にスリット２ｆが形成されている。
【００２４】
これらスリット２ｆは、キャップ本体２に筒状部２ｃを設けたことにより、カートリッジタンク１内の水の一部（筒状部２ｃの高さ分）がカートリッジタンク１内に残らないようにするもので、筒状部２ｃの先端より、円筒部２ｅの先端付近まで切り欠くことにより形成されている。
【００２５】
一方キャップ部２ａを形成する円板部２ｄの中央には、円孔２ｇが開口されていて、この円孔２ｇの内周面に弁座２ｈが形成されている。
【００２６】
弁座２ｈは筒状部２ｃ側が順次大径となるテーパ面により形成されていて、この弁座２ｈに筒状部２ｃ内に収容された弁体３が内側より当接されている。
【００２７】
弁体３は弁座２ｈと当接する面が半球状の球状面３ａとなっていて、球状面３ａの頂部には、加湿器側に設けられた突き上げピン（図示せず）の先端が当接する円形の平坦面３ｂが形成されており、平坦面３ｂと反対側の端面外周にはフランジ３ｃが突設されている。
【００２８】
フランジ３ｃの外周面には、筒状部２ｃの内周面と摺接することにより、弁体３の上下動をガイドする複数のガイド突起３ｄが円周方向に間隔を存して突設されている。
【００２９】
またフランジ３ｃ側の端面には、ばね受け突起３ｅが突設されていて、このばね受け突起３ｅに、筒状部２ｃ内に収容された圧縮ばね４の一端が嵌着されている。
【００３０】
圧縮ばね４は、自由長が筒状部２ｃの高さより長いコイルばねにより形成されていて、圧縮した状態で筒状部２ｃ内に収容されていて、弁体３を弁座２ｈへ圧接するよう付勢していると共に、圧縮ばね４の他端は、筒状部２ｃの先端に嵌着されたばね座５の内面に当接されている。
【００３１】
ばね座５は、中央部に圧縮ばね４の外径より内径が小さい円孔５ａが開口されていて、円孔５ａの周辺部に突設されたばね受け筒５ｂ内に圧縮ばね４の他端が嵌挿されており、内周面に突設された係止突条５ｃを筒状部２ｃの先端側外周面に形成された環状溝２ｉに嵌合することにより、筒状部２ｃの先端に係止されている。
【００３２】
次に前記構成されたキャップの作用を説明する。
【００３３】
加湿器に水を補給するに当って、まず加湿器より取り外したカートリッジタンク１の口部１ｂよりキャップ本体２を外して、カートリッジタンク１内に水を注入し、再び口部１ｂにキャップ本体２を螺着する。
【００３４】
この状態では、圧縮ばね４により弁体３の球状面３ａが弁座２ｈに圧接されているため、弁体３により弁座２ｈが確実に閉鎖されて、カートリッジタンク１を誤って転倒させたり、キャップ本体２を下向きにしてカートリッジタンク１を保持しても、カートリッジタンク１内の水が漏出する心配もない。
【００３５】
またテーパ状に形成された弁座２ｈに弁体３の球状面３ａを圧接するため、弁体３には圧縮ばね４による付勢力により常に調心作用が働いており、これによって筒状部２ｃの内周面に摺接するガイド突起による調心作用と相俟って、弁体１の球状面３ａの同一位置が弁座２ｈに当接して水の漏出を防止するため、長期間繰り返し使用していてもシール機能が低下することがない。
【００３６】
一方水を注入したカートリッジタンク１を、キャップ本体２を下向きにして加器へ装着すると、加湿器側に設けられた突き上げピンが弁体３の平坦面３ｂを突き上げて弁体３を図２の仮想線位置まで上昇させるため、カートリッジタンク１内に水は、弁体３のガイド突起３ｄ間に形成された隙間よりキャップ部２ａに開口された円孔２ｇを経て加湿器へと供給されるようになる。
【００３７】
また加湿器より水滴が空中へ放出されるのに伴いカートリッジタンク１内の水位が低下して、口部１ｂ付近に達したところでカートリッジタンク１に新たに水を補充するが、キャップ本体２からカートリッジタンク１内に突出する筒状部２ｃに、予め軸線方向にスリット２ｆが形成されているため、カートリッジタンク１内の水のほとんどは、このスリット２ｆより円孔２ｇを経て加湿器内へ排出される。
【００３８】
これによってカートリッジタンク１内に水が残留することがないため、水の補給が効率よく行えるようになる。
【００３９】
なお前記実施の形態では、加湿器に水を供給するカートリッジタンク１に使用するキャップの場合について説明したが、石油ストーブへ石油を供給するカートリッジタンク等にも適用できるものである。
【００４０】
【発明の効果】
本発明は以上詳述したように、圧縮ばねにより弁体が圧接される弁座をテーパ状に形成すると共に、弁体の弁座と当接する面を球状面としたことから、弁体側にＯリングを設ける必要がないため、Ｏリングの劣化によりシール機能が早期に低下することがないと共に、弁体の弁座と当接する面を球状面としたことにより弁体に調心作用が働いて、常に弁体の球状面が弁座の所定位置に確実に当接するため、長期間繰り返し使用していても液体が漏れることがない。
【００４１】
またキャップ本体に、カートリッジタンク内に突出する筒状部を形成し、かつ筒状部内に圧縮ばねを収容すると共に、筒状部の外周面に軸線方向にスリットを形成したことから、キャップ本体に圧縮ばねが容易に装着できる上、筒状部に形成したスリットによりカートリッジタンク内の液体を排出することができるため、カートリッジタンクに液体が残留することもない。
【００４２】
さらに弁体の外周部に、筒状部の内周面に摺接する複数のガイド突起を突設したことから、筒状部の内周面にガイドされて弁体が上下動するため、弁体の開閉が安定して行えるようになる。
【図面の簡単な説明】
【図１】本発明の実施の形態になるキャップを装着したカートリッジタンクの一部切欠正面図である。
【図２】本発明の実施の形態になるカートリッジタンクのキャップを示す拡大断面図である。
【図３】本発明の実施の形態になるカートリッジタンクのキャップに使用する弁体の側面図である。
【図４】本発明の実施の形態になるカートリッジタンクのキャップに使用する弁体の底面図である。
【符号の説明】
１      カートリッジタンク
１ｂ    口部
２      キャップ本体
２ｃ    筒状部
２ｆ    スリット
２ｈ    弁座
３      弁体
３ａ    球状面
３ｄ    ガイド突起
【図１】
2004239586.tif 000003
【図２】
2004239586.tif 000004
【図３】
2004239586.tif 000005
【図４】
2004239586.tif 000006